(57)【特許請求の範囲】
【請求項１】
時計ムーブメント（１００）のアーバ（１）を枢動させるためのデバイス（１０）であって、前記デバイス（１０）は、セッティング（７）内に固定された、回転軸（Ｄ）を有する前記アーバ（１）のホゾ（２）が通過する宝石（３）と、少なくとも前記セッティング（７）によって前記ムーブメント（１００）の地板（６）に間接的に固定された受け石（４）とを含み、前記受け石（４）は、前記ホゾ（２）の遠位端と当接して協働するよう配設された第１の軸受表面（５）を含み、前記軸受表面（５）は唯一のものであり、また前記軸受表面（５）は、前記受け石（４）に対して前記ホゾ（２）が当接する位置において、前記ホゾ（２）及び前記第１の軸受表面（５）に対する共通の接平面（ＰＴ）に対する垂線（Ｎ）が、前記軸（Ｄ）に対してゼロでないカント角（θ）で傾斜するように配設され、前記垂線（Ｎ）及び前記軸（Ｄ）は共に、前記地板（６）の基準方向（ＤＲ）に対してあるヨー角（α）を形成する第１の角度配向を有する受け石平面（ＰＣＰ）を画定する、デバイス（１０）において、前記デバイス（１０）は、前記ヨー角（α）及び／又は前記カント角（θ）を調整して、前記ムーブメント（１００）の進度を調節及び調整するための手段（２０）を含むことを特徴とする、デバイス（１０）。
【請求項２】
前記唯一の軸受表面（５）は平坦であることを特徴とする、請求項１に記載のデバイス（１０）。
【請求項３】
前記宝石（３）及び前記受け石（４）は共に前記セッティング（７）内に固定され、前記セッティング（７）内では、前記受け石（４）は衝撃吸収性ばね（８）によって前記宝石（３）に向かって押圧されること；並びに前記調整手段（２０）は、前記地板（６）に対して枢動するよう設置された前記セッティング（７）のための、及び／又は前記セッティング（７）を取り囲み、かつ前記地板（６）に対して移動可能に設置されたカボション（９）のための、位置決め手段を含むことを特徴とする、請求項１に記載のデバイス（１０）。
【請求項４】
前記宝石（３）及び前記受け石（４）は共に前記セッティング（７）内に固定され、前記セッティング（７）内では、前記受け石（４）は衝撃吸収性ばね（８）によって前記宝石（３）に向かって押圧されること；並びに前記調整手段（２０）は、前記地板（６）に対して枢動するよう設置された前記セッティング（７）のための、及び／又は前記セッティング（７）を取り囲み、かつ前記地板（６）に対して移動可能に設置されたカボション（９）のための、角度インデックス手段（２２）を含むことを特徴とする、請求項１に記載のデバイス（１０）。
【請求項５】
前記デバイスは、前記セッティング（７）及び前記衝撃吸収性ばね（８）を取り囲み、かつ前記地板（６）内で枢動するよう設置された、前記カボション（９）を含み、前記カボション（９）は、前記地板（６）の第２の相補的な軸受表面（６１）に対面する第２の基準表面（９１）を含むこと；前記第１の軸受表面（５）は、前記ホゾ（２）を案内するために前記宝石（３）が備えるオリフィス（３１）の軸（ＤＯ）に対して垂直であること；並びに前記セッティング（７）は前記カボション（９）内に、単一の所定の位置において前記第２の基準表面（９１）に対して傾斜した状態で設置されることを特徴とする、請求項３に記載のデバイス（１０）。
【請求項６】
前記カボション（９）は、前記セッティング（７）を受承するためのハウジング（９２）を含むこと；及び前記ハウジング（９２）は、単一の所定の位置において前記第２の基準表面（９１）に対して傾斜しており、前記セッティング（７）は前記オリフィス（３１）の前記軸（ＤＯ）に対して同軸の、回転体である外側表面（７１）を含むことを特徴とする、請求項５に記載のデバイス（１０）。
【請求項７】
前記カボション（９）は、前記セッティング（７）を受承するための前記ハウジング（９２）を含むこと；前記セッティング（７）は、単一の所定の位置において前記オリフィス（３１）の前記軸（ＤＯ）に対して傾斜している前記外側表面（７１）を含むこと；及び前記ハウジング（９２）は、前記第２の基準表面（９１）の方向に対して平行であることを特徴とする、請求項５に記載のデバイス（１０）。
【請求項８】
前記デバイスは、前記セッティング（７）及び前記衝撃吸収性ばね（８）を取り囲み、かつ前記地板（６）内で枢動するよう設置された、前記カボション（９）を含み、前記カボション（９）は、前記地板（６）の前記第２の相補的な軸受表面（６１）に対面する前記第２の基準表面（９１）を含むこと；前記第１の軸受表面（５）は、前記ホゾ（２）を案内するために前記宝石（３）が備える前記オリフィス（３１）の前記軸（ＤＯ）に対して垂直であること；前記セッティング（７）は前記カボション（９）内に、前記第２の基準表面（９１）に対して平行に設置されること；並びに前記カボションの前記第２の基準表面（９１）は、前記地板（６）の前記第２の相補的な軸受表面（６１）に対して傾斜した状態で保持されることを特徴とする、請求項３に記載のデバイス（１０）。
【請求項９】
前記カボションの前記第２の基準表面（９１）は、前記地板（６）の前記第２の相補的な軸受表面（６１）に対して傾斜した状態で保持され、前記カボション（９）は、前記地板（６）のハウジング（６４）に遊びを有した状態で挿入され、前記カボションは、前記カボション（９）の周縁部のフランジ（９６）を把持する溝（２７）をそれぞれ含む３つのねじ（２３）によって前記地板（６）上に堅固に保持され、これによって前記カント角（θ）及び前記ヨー角（α）の両方を調整できることを特徴とする、請求項８に記載のデバイス（１０）。
【請求項１０】
前記デバイスは、前記セッティング（７）及び前記衝撃吸収性ばね（８）を取り囲み、かつ前記地板（６）内で枢動するよう設置された、前記カボション（９）を含み、前記カボション（９）は、前記地板（６）の前記第２の相補的な軸受表面（６１）に対面する前記第２の基準表面（９１）を含むこと；前記第１の軸受表面（５）の前記垂線は、前記ホゾ（２）を案内するために前記宝石（３）が備える前記オリフィス（３１）の前記軸（ＤＯ）に対して傾斜していること；並びに前記セッティング（７）は前記カボション（９）内に、前記第２の基準表面（９１）に対して平行に設置されることを特徴とする、請求項３に記載のデバイス（１０）。
【請求項１１】
前記デバイスは、前記セッティング（７）及び前記衝撃吸収性ばね（８）を取り囲み、かつ前記地板（６）内で枢動するよう設置された、前記カボション（９）を含み、前記カボション（９）は、前記地板（６）の前記相補的な軸受表面（６１）に対面する前記基準表面（９１）を含むこと；並びに前記調整手段（２０）は、前記カボション（９）の枢動を駆動するための手段（２４）を含むことを特徴とする、請求項３に記載のデバイス（１０）。
【請求項１２】
前記地板（６）の前記相補的な軸受表面（６１）は、前記ホゾ（２）の前記軸（Ｄ）に対して略平行な穿孔（６３）であること；前記デバイス（１０）は、前記セッティング（７）及び前記衝撃吸収性ばね（８）を取り囲み、かつ前記地板（６）内で枢動するよう設置された、前記カボション（９）を含むこと；前記第１の軸受表面（５）は、前記ホゾ（２）を案内するために前記宝石（３）が備える前記オリフィス（３１）の前記軸（ＤＯ）に対して垂直であること；並びに前記セッティング（７）は、単一の所定の位置において、円筒形の前記第２の基準表面（９１）に対して傾斜するように、前記カボション（９）内に設置されることを特徴とする、請求項７又は８又は１０又は１１に記載のデバイス（１０）。
【請求項１３】
前記地板（６）の前記相補的な軸受表面（６１）は、前記ホゾ（２）の前記軸（Ｄ）に対して傾斜した前記穿孔（６３）であること；前記デバイス（１０）は、前記セッティング（７）及び前記衝撃吸収性ばね（８）を取り囲み、かつ前記地板（６）内で枢動するよう設置された、前記カボション（９）を含むこと；前記第１の軸受表面（５）は、前記ホゾ（２）を案内するために前記宝石（３）が備える前記オリフィス（３１）の前記軸（ＤＯ）に対して垂直であること；並びに前記セッティング（７）は、単一の所定の位置において、円筒形の前記第２の基準表面（９１）に対して平行に、前記カボション（９）内に設置されることを特徴とする、請求項７又は８又は１０又は１１に記載のデバイス（１０）。
【請求項１４】
前記カボション（９）及び前記セッティング（７）は真っ直ぐになっており、かつ同軸であり、前記カボション（９）は前記地板（６）内で枢動するよう設置され、前記カボション（９）は前記地板（６）の前記第２の相補的な軸受表面（６１）に対面する前記第２の基準表面（９１）を含むこと；前記第１の軸受表面（５）の前記垂線は、前記ホゾ（２）を案内するために前記宝石（３）が備える前記オリフィス（３１）の前記軸（ＤＯ）に対して傾斜していること；前記セッティング（７）は前記カボション（９）内に、前記第２の基準表面（９１）に対して平行に設置されること；並びに前記衝撃吸収性ばね（８）は、前記受け石（４）の、前記ホゾ（２）の端部の前記軸受表面（５）とは反対側の表面のリブ（４１）又は溝（４２）と協働し、前記カボション（９）は、前記衝撃吸収性ばね（８）のループ（８２）又は端部アーム（８３）のための複数のハウジング（９５）を含み、これにより、前記セッティング（７）を様々な位置にインデクシングできることを特徴とする、請求項７又は８又は１０又は１１に記載のデバイス（１０）。
【請求項１５】
前記軸受表面（５）は、前記ホゾ（２）を案内するために前記宝石（３）が備える前記オリフィス（３１）の前記軸（ＤＯ）に対して中心がずらされた凹部（５１）、又は前記オリフィス（３１）の前記軸（ＤＯ）上にセンタリングされたＶ字型外形を有する第１の溝（５２）、又は前記オリフィス（３１）の前記軸（ＤＯ）に対して中心がずらされたＶ字型外形を有する第２の溝（５３）で形成されることを特徴とする、請求項１に記載のデバイス（１０）。
【請求項１６】
前記デバイスは、前記ホゾ（２）の前記軸（Ｄ）に対して略直交方向に前記ホゾ（２）を牽引するか又は押し戻すための手段（３０）を含むことを特徴とする、請求項１に記載のデバイス（１０）。
【請求項１７】
前記牽引又は押し戻し手段（３０）は、静電場又は磁場を生成するエレクトレット又は磁石（３０Ａ）によって形成されること；及び  前記ホゾ（２）は伝導性金属材料製であることを特徴とする、請求項１６に記載のデバイス（１０）。
【請求項１８】
前記牽引又は押し戻し手段（３０）は、前記ホゾ（２）に径方向の力を印加する少なくとも１つの弾性復元手段又はばね（３０Ｂ）によって形成されることを特徴とする、請求項１６に記載のデバイス（１０）。
【請求項１９】
請求項１に記載のデバイス（１０）を含む、時計ムーブメント（１００）。
【請求項２０】
請求項１に記載のデバイス（１０）を含む、腕時計（２００）。
【発明の詳細な説明】
【技術分野】
【０００１】
本発明は、時計ムーブメントのアーバを枢動させるためのデバイスに関し、上記デバイスは、セッティング内に嵌合された、上記アーバのホゾが通過する宝石と、少なくとも上記セッティングによって上記ムーブメントの地板に間接的に固定された受け石とを含み、上記受け石は、上記ホゾの遠位端と当接して協働するよう配設された第１の軸受表面を含む。
【０００２】
本発明はまた、上記デバイスを含む時計ムーブメントにも関する。
【０００３】
本発明はまた、上記時計ムーブメント及び／又は上記デバイスを含む腕時計にも関する。
【０００４】
本発明は、腕時計用の時計アーバ、より詳細には、天真の枢動の案内の分野に関する。
【背景技術】
【０００５】
機械式腕時計は、比較的等時性の進度を有する。しかしながらこの「比較的」という表現には、進度が１日あたりゼロ秒から数十秒までの範囲で変動し得る余地が残されている。
【０００６】
このような進度の変動の原因の１つは、２つの水平位置の間での、受け石に接するテンプのホゾの挙動の差である。このような挙動の差は例えば、一方の水平位置では他方の水平位置に比べてホゾに近くなるヒゲゼンマイの力の差が、宝石内のホゾの遊びと組み合わさることによって引き起こされる。
【０００７】
実際に、従来の組立体において受け石が宝石と平行である場合、ホゾの挙動は水平位置では安定しない。これは、水平な受け石上でのホゾの枢動と、宝石内の遊びとによるものである。
【０００８】
受け石の基本的な機能は、ホゾ上の摩擦の低減と、良好な油の分散である。
【０００９】
ＤＩＴＩＳＨＥＩＭによる特許文献１は、天真等を枢動させるためのデバイスを開示しており、このデバイスは、アーバの端部との接触部位において傾斜した表面を有する受け石を含む。
【００１０】
ＰＡＴＥＫ  ＰＨＩＬＩＰＰＥによる特許文献２は、結晶質材料で形成された軸受を開示しており、ホゾ受承孔は、結晶質材料の結晶質平面内に配置された平坦な面を含む。
【００１１】
ＵＬＹＳＳＥ  ＮＡＲＤＩＮによる特許文献３は、ホゾを開示しており、このホゾの自由端部は、ホゾの軸に対して径方向に、ホゾの周縁部に向かってオフセットされた接触先端部を有する。
【００１２】
ＬＥ  ＶＡＮ  ＨＡＭＩＬＴＯＮによる特許文献４は、オリーブ状宝石及び受け石を含む軸受を開示しており、アーバは、受け石の周縁部に接触するための円錐形の窪みを取り囲む丸みを帯びた縁部を有する１つの端部を含む。
【００１３】
ＳＷＡＴＣＨ  ＧＲＯＵＰ  Ｒ＆Ｄによる特許文献５は、アーバのシャンクが挿入されるホゾシステムを受承するハウジングを有する支持体を含む、衝撃吸収性軸受を開示しており、この軸受は、ホゾ上に軸方向の力を印加する非晶質材料製の弾性手段を含む。
【先行技術文献】
【特許文献】
【００１４】
【特許文献１】スイス特許第２３９７８６号
【特許文献２】スイス特許第７０２３１４Ｂ１号
【特許文献３】スイス特許出願第７０４７７０Ａ２号
【特許文献４】米国特許出願第２６５４９９０Ａ号
【特許文献５】欧州特許出願第２４００３５５Ａ１号
【発明の概要】
【発明が解決しようとする課題】
【００１５】
本発明は、腕時計の様々な位置におけるアーバの挙動の差を低減することによって従来技術の欠点を克服する、アーバを枢動させるためのガイドを製造することを提案する。
【課題を解決するための手段】
【００１６】
この目的のために、本発明は、時計ムーブメントのアーバを枢動させるためのデバイスに関し、上記デバイスは、セッティング内に嵌合された、上記アーバのホゾが通過する宝石と、少なくとも上記セッティングによって上記ムーブメントの地板に間接的に固定された受け石とを含み、上記受け石は、上記ホゾの遠位端と当接して協働するよう配設された第１の軸受表面を含む。このデバイスは、上記軸受表面が唯一のものであり、また上記受け石に対して上記ホゾが当接する位置において、上記ホゾ及び上記第１の軸受表面に対する共通の接平面に対する垂線が、上記軸に対してゼロでないカント角で傾斜するように、上記軸受表面が配設され、また上記垂線及び上記軸が、上記地板の基準方向に対してあるヨー角を形成する第１の角度配向を有する受け石平面を画定することを特徴とする。
【００１７】
本発明の特徴によると、上記デバイスは、上記ヨー角及び／又は上記カント角を調整して、上記ムーブメントの進度を調節及び調整するための手段を含む。
【００１８】
本発明はまた、上記デバイスを含む時計ムーブメントにも関する。
【００１９】
本発明はまた、上記時計ムーブメント及び／又は上記デバイスを含む時計にも関する。
【００２０】
本発明の他の特徴及び利点は、天真の枢動を案内するためのデバイスに関する以下の詳細な説明を、添付の図面を参照して読むことにより明らかになるであろう。上記図面は全て、本発明の好ましい、ただし非限定的な用途に関するものであり、上記天真は、宝石のオリフィス内で枢動するホゾを端部に含み、このホゾはその遠位端において受け石上に載置されるよう配設される。
【図面の簡単な説明】
【００２１】
【図１】図１は、天真と、ホゾの遠位端と受け石上の軸受表面との間の接点とを通る受け石平面における、本発明の変形実装形態のうちの１つの概略部分断面図であり、受け石上のこの軸受表面はホゾの軸に対していわゆるカント角で傾斜している。
【図２】図２は、図１の枢動案内デバイスの一部分の概略部分底面図であり、図１の受け石平面は、このデバイスを受承する地板に対応する基準方向から、いわゆるヨー角だけ偏向している。
【図３】図３〜１０は、宝石内におけるホゾの運動に影響を与えるための、複数の異なる実施形態を示す。図３は、ある変形例の概略断面図である。天真の理論上の軸と位置合わせされて地板（図示せず）内に設置された、実質的に回転体であるカボションが、同軸に設置されたセッティングを支持しており、カボションに対して平行に設置されたこのセッティングは、テンプの軸上にホゾを案内するための宝石を備える。このセッティングは、受け石を受承するための、テンプの軸に対して傾斜した内側ハウジングを含み、この受け石の軸受表面は従って、宝石に対して及びテンプの軸に対して、約３°のカント角で傾斜する。この受け石は衝撃吸収性ばねによってカボション内に保持される。この傾斜により、宝石内におけるホゾの運動に影響を与えることができ、従って腕時計の水平位置における時間測定法に影響を与えることができる。
【図４】図４は、ある変形例の概略断面図である。天真の理論上の軸と位置合わせされて地板（図示せず）内に設置された、実質的に回転体であるカボションが、同軸に設置されたセッティングを支持しており、このセッティングは、テンプの軸上にホゾを案内するための宝石を備える。このセッティングは、受け石を受承するための内側ハウジングを含み、この受け石は衝撃吸収性ばねによってカボション内に保持される。カボションの近傍に配置された磁石は、ホゾの軸に対して略直交方向の磁場を生成し、これにより図３の受け石の傾斜と同様の効果が得られる。
【図５】図５は、図４と同様の構成を示し、ここでは磁石が、ホゾの軸に対して略直交方向の力で天真に作用するばねに置き換えられている。これにより、図３の受け石の傾斜と同様の効果が得られる。
【図６】図６は、ある変形例の概略断面図である。天真の理論上の軸と位置合わせされて地板（図示せず）内に設置された、実質的に回転体であるカボションが、同軸に設置されたセッティングを支持しており、このセッティングは、テンプの軸上にホゾを案内するための宝石を備える。このセッティングは、受け石を宝石に対して略平行に受承するための内側ハウジングを含み、受け石は衝撃吸収性ばねによってカボション内に保持される。この受け石は、ホゾの端部を受承するための、中心がずらされた凹状のハウジングを含み、従ってこの受け石は、あるカント角で軸受表面を形成する斜面上でハウジングを支持する。
【図７】図７は、ある変形例の概略断面図である。実質的に回転体であるカボションは、天真の理論上の軸に対して３°傾斜した状態で地板に設置されており、カボションと同軸に設置されたセッティングを支持している。このセッティングは、ホゾを案内するための宝石を備え、地板におけるカボションの傾斜により、通路用オリフィスはホゾの軸に対して傾斜している。セッティングは、受け石を宝石に対して略平行に受承するための内側ハウジングを含み、受け石は衝撃吸収性ばねによってカボション内に保持される。従ってホゾの端部は受け石の平坦な軸受表面に、地板におけるカボションの傾斜角度と同一のカント角で当接する。
【図８】図８は、ある変形例の概略断面図である。実質的に回転体であるカボションは、テンプの軸と位置合わせされた状態で設置されており、カボションと同軸に設置されたセッティングを支持している。このセッティングは、カント角の値だけ傾斜した、互いに対して平行な２つのハウジングを含み、一方のハウジングはホゾを案内するための宝石のためのものであり、これにより通路用オリフィスはホゾの軸に対して傾斜している。もう一方のハウジングは、受け石を宝石に対して略平行に受承するためのものであり、受け石は衝撃吸収性ばねによってカボション内に保持される。従ってホゾの端部は受け石の平坦な軸受表面に、セッティングにおける受け石及び宝石の傾斜角度と同一のカント角で当接する。
【図９】図９は、ある変形例の概略断面図である。実質的に回転体であるカボションは、テンプの軸と位置合わせされた状態で設置されており、セッティングを受承するための、カント角の値だけ傾斜したハウジングを備える。このセッティングは、互いに対して平行な２つのハウジングを含み、一方のハウジングはホゾを案内するための宝石のためのものであり、これにより通路用オリフィスはホゾの軸に対して傾斜している。もう一方のハウジングは、受け石を宝石に対して略平行に受承するためのものであり、受け石は衝撃吸収性ばねによってカボション内に保持される。従ってホゾの端部は受け石の平坦な軸受表面に、セッティング内での受け石及び宝石の傾斜角度と同一のカント角で当接する。
【図１０】図１０は図６と同様の図であり、受け石の軸受表面の中心がずらされた溝によって、中心がずらされた凹状のハウジングが形成されている様子を、断面図で示す。
【図１０Ａ】図１０Ａは、受け石の軸受表面の中心がずらされた溝によって、中心がずらされた凹状のハウジングが形成されている様子を、平面図で示す。
【図１１】図１１は、図１０と同様の図であり、中央溝によって上記中心がずらされた凹状のハウジングが形成されている様子を、断面図で示す。
【図１１Ａ】図１１Ａは、中央溝によって上記中心がずらされた凹状のハウジングが形成されている様子を、平面図で示す。
【図１２】図１２〜１５は、図２と同様に、図１、３〜１０に示したホゾの位置に影響を与えるための手段に適用されるインデックス手段を示す。この傾斜位置に対する作用により、時間測定法を、特に２つの水平位置の間の進度の差を補正及び調整できる。図１２は、本発明によるデバイスの平面図であり、このデバイスは、傾斜した受け石と、進度調整を実施してこの調整を維持するために複数の別個の位置にインデクシングできるセッティングとを含む。
【図１３】図１３は、図９のタイプのカボション内に傾斜したセッティングを含む、本発明によるデバイスの平面図であり、上記カボションは、摩擦により設置され、地板内に真っ直ぐに配設され、かつ地板に当接する。カボションはねじ回し等の工具を用いてヨー角の角度調整するためのねじ穴を含み、このヨー角の調整により進度調整を実施でき、また摩擦の作用下でこの調整を維持できる。
【図１３Ａ】図１３Ａは、図１３のデバイスの、図１３の天真を通る断面図である。
【図１４】図１４は、傾斜した受け石を支持するカボションを含む、本発明によるデバイスの平面図である。このカボションは、地板内に摩擦によって設置されたねじ穴を有する作動用ピニオンと噛合する周縁歯部を含み、ねじ回しを用いてカボション全体を枢動させてそのヨー角を調整することにより進度調整を実施でき、また摩擦の作用下でこの調整を維持できる。
【図１５】図１５は、真っ直ぐになったカボション及びセッティングを含む、本発明によるデバイスの平面図である。セッティングは図３のタイプの傾斜した受け石を含み、衝撃吸収性ばねは、受け石の、ホゾ端部の軸受表面とは反対側の表面において、リブ又は溝と協働し、これにより、竪琴型ばねを介してセッティングを複数の位置にインデクシングできる。
【図１５Ａ】図１５Ａは、図１５のデバイスの変形例の、天真を通る断面図である。
【図１５Ｂ】図１５Ｂは、図１５のデバイスの別の変形例の、天真を通る断面図である。
【図１６】図１６は、互いに対して平行な宝石と受け石とを含む真っ直ぐなセッティングを有するカボションを含む、本発明によるデバイスの平面図である。カボションは地板内のハウジングに遊びを有した状態で挿入され、カボションの周縁部を把持する溝をそれぞれ含む３つのねじによって地板上に堅固に保持される。これにより、カント角及びヨー角の両方の調整が可能となる。
【図１６Ａ】図１６Ａは、本発明によるデバイスの、図１６の天真を通る断面図である。
【図１７】図１７は、本発明によるデバイスが取り付けられたムーブメントを含む腕時計のブロック図である。
【発明を実施するための形態】
【００２２】
本発明は、ホゾの挙動に影響を与え、これによって腕時計の進度に対して影響を与えるための、様々な手段について説明することを提案する。これらの手段により、上記挙動に影響を与えて、即ち上記挙動を調整して、特に２つの水平位置における進度を等しくすることができる。
【００２３】
まず、上記複数の水平位置におけるテンプのホゾの挙動に影響を与えるための手段を、非限定的な様式で図３〜１１に図示する。次に、ホゾに対する影響を修正することによって、複数の異なる位置における進度の一貫性を達成するための手段を、図１２〜１６に図示する。当然のことながら、これらの図のうちのいくつかを組み合わせることができ、またそのような組み合わせを実装するための方法は当業者には公知であろう。
【００２４】
本発明は、時計ムーブメント１００のアーバ１を枢動させるためのデバイス１０に関し、上記デバイス１０は、セッティング７内に固定された宝石３を含む。この宝石３は、回転軸Ｄを有するアーバ１のホゾ２によって通過される。この説明は、天真の枢動を案内するという好ましいケースに適用されるものであるが、本発明は当然のことながら、アンクルのホゾ等といった他のアーバを案内するためにも有利に使用できる。ここではアーバ１はばね付きテンプの真である。
【００２５】
受け石４は、少なくともセッティング７によってムーブメント１００の地板６に間接的に固定される。図示した実施形態では、セッティング７はカボション９によって支持され、このカボション９は地板６に固定される。
【００２６】
本発明によると、この受け石４は、ホゾ２の遠位端と当接して協働するよう配設された第１の唯一の軸受表面５を含む。その一方でホゾ２の円筒形部分は、宝石３内に備えられた概してオリーブ状のオリフィス３１と協働する。
【００２７】
経済的な実施形態では、特に図１、３、４、５、７、８、９、１３、１５、１６に見られるように、軸受表面５は平坦である。
【００２８】
本発明によるデバイス１０は、受け石４に対してホゾ２が当接する位置において、ホゾ２及び第１の軸受表面５に対する共通の接平面ＰＴに対する垂線Ｎが、軸Ｄに対してゼロでないカント角θで傾斜するように配設される。
【００２９】
このような配置により、宝石のオリフィス内のホゾの遊びによって許容される範囲内において、水平な受け石上でホゾが揺動及び摺動するという、従来技術の欠点が回避される。実際に、受け石４を傾斜させることにより、上記複数の水平位置におけるホゾの位置に対して影響を与えることができる。約３°の傾斜は潤滑に干渉せず、必要な油滴をホゾに保持できる。受け石の傾斜位置によって発生する平坦位置での摩擦の僅かな増加により、効率が僅かに低下するものの、懸架位置での摩擦値は平坦位置での摩擦値に近く、これは望んでいた目標である。要するに、摩擦を最小化するという問題ではなく、天真の異なる複数の空間的位置において摩擦を等しくするという問題である。
【００３０】
この垂線Ｎ及び軸Ｄは共に、いわゆる受け石平面ＰＣＰを画定し、この受け石平面ＰＣＰは、地板６の基準方向ＤＲに対してヨー角αの第１の角度配向を有する。
【００３１】
本発明によると、デバイス１０は、２つの水平位置の間の進度の差を低減することによって、デバイス１０が組み込まれたムーブメント１００の進度を調節及び調整するために、宝石のオリフィス３１内でのホゾ２の運動に影響を与えるための、調整手段２０を含む。より具体的には、これらの調整手段２０は、ヨー角α及び／又はカント角θを調整するための手段である。これらの調整手段は、特定の従来技術の軸受の弾性アーム又はばねと混同してはならない。上記特定の従来技術の軸受の弾性アーム又はばね一般に、保持機能及び／又は弾性復元機能のみを目的としたものであり、いずれにしても再生可能な調整手段を形成できない。
【００３２】
特に図１に見られるような、受け石４上の唯一の軸受表面５の、ホゾ２の軸ＤＯに対するカント角θの傾斜により、宝石のオリフィス３１内でのホゾ２の運動、及びこの運動によって得られる時間測定法に対して影響を与えることができる。
【００３３】
図２に見られるような、デバイス１０を受承する地板６に対応する基準方向ＤＲに対する、受け石平面ＰＣＰのヨー角αの傾斜により、時間測定法を、特に２つの水平位置の間の進度の差を補正及び調節できる。
【００３４】
好ましくは、宝石３及び受け石４は共にセッティング７内に固定され、受け石４は、少なくとも１つの衝撃吸収性ばね８によって、宝石３に向かってセッティング７内へと押圧され、セッティング７の肩部に当接する。
【００３５】
本発明の特定のバージョンでは、複数の変形例のうちのいくつかにおいて、これらの調整手段２０は、地板６に対して枢動するよう設置されたセッティング７のための、又はセッティング７を取り囲み、かつ地板６に対して移動可能に設置されたカボション９のための、位置決め手段２１を含む。
【００３６】
地板６に対するセッティング７の可動性は、間接的なものであってよい。これは、セッティング７がカボション９に対して枢動し、カボション９が地板６に対して不動化されている、図１２、１５の場合である。
【００３７】
地板６に対するカボション９の可動性は好ましくは、図１３、１４に見られるような遊びを有しない若しくは好ましくは摩擦を有しての枢動、又は図１６に見られるような、地板６の周縁部上の３点における、地板６に対する受け石４のねじれのみを可能とするような低減された遊びを有する、地板６に対する差動並進運動のみに制限される。
【００３８】
当然のことながら、カボション９に対するセッティング７の可動性と、地板６に対するカボション９の可動性とを組み合わせることもできるが、これは結果として調整の単純さを損ない、異なる複数の位置の間で進度のバランスをとるためには、殆どの場合セッティング７のみ又はカボション９のみの調整で十分である。
【００３９】
有利には、調整手段２０は、腕時計に対して実施した調整を維持するための、角度インデックス手段２２を含む。これらの角度インデックス手段２２もまた、図１２に見られるような、地板６に対して枢動するよう設置されたセッティング７、及び／又は図１４に見られるような、セッティング７を取り囲み、かつ地板６に対して移動可能に設置されたカボション９に関するものであり、前者の場合はセッティングが複数の別個の位置をとることができ、後者の場合は歯付きピニオン２５によって、カボション９と一体の歯付きクラウン９４の微調整を行うことができる。
【００４０】
図１２は、傾斜した受け石４と、進度調整を実施してこの調整を維持するために複数の別個の位置にインデクシングできるセッティング７とを有する、ある変形例を示す。カボション９は、セッティング７と一体のフィンガ７２を格納できるセル９３を含み、これらセル９３及びフィンガ７２は共に、調整手段２０及びインデックス手段２２を形成する。受け石４はセッティング７内で駆動されるか、又はインデクシングされる。
【００４１】
図示したように、本発明を様々な変形例において実装できる。全ての図示した変形例に共通する様式では、デバイス１０は、セッティング７及び衝撃吸収性ばね８を取り囲み、かつ地板６内で枢動するよう設置されたカボション９を含む。このカボション９は、地板６の第２の相補的な軸受表面６１に対面する第２の基準表面９１を含む。
【００４２】
特に図８に示した変形例では、第１の軸受表面５は、ホゾ２を案内するための宝石３のオリフィス３１の軸ＤＯに対して垂直である。セッティング７はカボション９内に、単一の所定の位置において第２の基準表面９１に対して傾斜した状態で設置される。図８では、カボション９はテンプの軸Ｄと位置合わせされた状態で設置され、セッティング７はカボション９と同軸に設置される。セッティング７は、好ましくは約３°であるカント角θの値だけ傾斜した、互いに対して平行な２つのハウジング７５、７６を含む。第１のハウジング７５はホゾ２を案内するための宝石のためのものであり、従って通路用オリフィス３１はホゾ２の軸Ｄに対して傾斜している。他方のハウジング７６は受け石４を受承するためのものであり、受け石４は宝石３に対して略平行であり、衝撃吸収性ばね８によってカボション９内に保持される。このようにしてホゾ２の端部は、受け石４の平坦な軸受表面５に、セッティング７における受け石及び宝石の傾斜角度θと同一のカント角θで当接する。
【００４３】
より詳細には、カボション９は、外側表面７１を含むセッティング７を受承するためのハウジング９２を含み、上記外側表面７１は、単一の所定の位置においてオリフィス３１の軸Ｄ０に対して傾斜している。このハウジング９２は、カボション９の第２の基準表面９１の方向に対して平行である。
【００４４】
特に図９〜１３に示す変形例では、カボション９はセッティング７を受承するためのハウジング９２を含み、このハウジング９２は、単一の所定の位置においてカボション９の第２の基準表面９１に対して傾斜している。このセッティング７は、宝石３のオリフィス３１の軸Ｄ０に対して同軸の、回転体である外側表面７１を含む。
【００４５】
従って図９は、地板６の穿孔６３と協働する円筒形肩部９１によってテンプの軸Ｄと位置合わせされた状態で設置された、実質的に回転体であるカボション９を示し、このカボション９は、セッティング７を受承するための、好ましくは約３°であるカント角θの値だけ傾斜したハウジング９２を備える。このセッティング７は、互いに対して平行な２つのハウジングを含み、一方のハウジング７５はホゾ２を案内するための宝石３のためのものであり、これにより通路用オリフィス３１はホゾ２の軸Ｄに対して傾斜しており、もう一方のハウジング７６は、受け石４を宝石３に対して略平行に受承するためのものであり、受け石４は衝撃吸収性ばね８によってカボション９内に保持される。従ってホゾ２の端部は受け石４の平坦な軸受表面５に、カボション９におけるセッティング７の傾斜角度θと同一のカント角θで当接する。図１３では同一の組立体を確認できるが、この図１３は、カボション９内のこのような傾斜したセッティング７を示し、このカボション９は真っ直ぐに組み付けられ、地板６内に摩擦により設置され、かつ地板６に当接する。カボション９はねじ回し等の工具を用いてヨー角αを角度調整するためのねじ穴９３を含み、このヨー角αの調整により進度調整を実施でき、また摩擦の作用下でこの調整を維持できる。
【００４６】
特に図１６に示す変形例では、第１の軸受表面５は、ホゾ２を案内するための宝石３のオリフィス３１の軸ＤＯに対して垂直である。セッティング７はカボション９内に、第２の基準表面９１に対して平行に設置される。第２の基準表面９１は、地板６の相補的な第２の軸受表面６１に対して傾斜した状態で保持される。より詳細には、カボション９は地板６のハウジング６４内に遊びを有した状態で挿入され、またカボション９は、カント角θ及びヨー角αの両方を調整するために、カボション９の周縁部上のフランジ９６を把持する溝２７をそれぞれ含む３つのねじ２３によって地板６上に堅固に保持される。好ましくは図示したように、ねじ２３のうちの少なくとも１つは、調整を容易にするために、この溝２７の範囲を画定するカラー２８の肩部２４１によって、地板６の面６１に当接して保持される。
【００４７】
また、図３に示す本発明の変形例では、第１の軸受表面の垂線は、ホゾ２を案内するための宝石３のオリフィス３１の軸ＤＯに対して、約３°のカント角θで傾斜している。セッティング７はカボション９内に、第２の基準表面９１に対して平行に設置される。
【００４８】
特に図１４に示す変形例では、調整手段２０は、カボション９の枢動を駆動するための手段２４を含む。図１４では、カボション９は傾斜した受け石４を支持し、このカボション９は、地板内に摩擦によって設置されたねじ穴２６を有する作動用ピニオン２５と噛合する周縁歯部９４を含み、ねじ回しを用いてカボション９全体を枢動させてそのヨー角αを調整することにより進度調整を実施でき、また摩擦の作用下でこの調整を維持できる。
【００４９】
特に図９に示す変形例では、地板６の相補的な軸受表面６１は、軸Ｄに対して略平行な穿孔６３であり、第１の軸受表面５は宝石３のオリフィス３１の軸ＤＯに対して垂直である。セッティング７は、単一の所定の位置において、円筒形の第２の基準表面９１に対して傾斜するように、カボション９の傾斜したハウジング９２内に設置される。
【００５０】
特に図７に示す変形例では、地板６の相補的な軸受表面６１は、軸Ｄに対して約３°の傾斜で傾斜した穿孔６３であり、第１の軸受表面５は宝石３のオリフィス３１の軸ＤＯに対して垂直であり、上記宝石３は、地板内のカボションの傾斜により、ホゾの軸に対して傾斜している。セッティング７は、単一の所定の位置において、円筒形の第２の基準表面９１に対して平行となるように、カボション９内に同軸に設置される。従ってホゾ２の端部は受け石４の平坦な軸受表面５に、地板６におけるカボション９の傾斜角度と同一のカント角θで当接する。
【００５１】
特に図１５に示す変形例では、カボション９及びセッティング７は真っ直ぐになっており、かつ同軸であり、カボション９は地板６内で枢動するよう設置される。第１の軸受表面５の垂線は、宝石３のオリフィス３１の軸ＤＯに対して傾斜している。セッティング７はカボション９内に、第２の基準表面９１に対して平行に設置される。衝撃吸収性ばね８は、受け石４の、ホゾ２の端部の軸受表面５とは反対側の表面のリブ４１又は溝４２と協働する。カボション９は、衝撃吸収性ばね８のループ８２又は端部アーム８３を受承してロックするための複数のハウジング９５、即ち９５Ａ、９５Ｂ、９５Ｃ、９５Ｄを含み、これにより、ばね８の竪琴型部材を介してセッティング７を様々な位置にインデクシングでき、ばね８はハウジング９５内で、カボション９のノッチにおいてインデクシングされる。
【００５２】
いくつかの変形例では、受け石４は、ホゾ２の遠位部分を受承するための、凹状の、有利には中心がずらされた、特に球形又は円錐形の表面を含み、この中心がずらされた凹状の表面は、特にヒゲゼンマイ側において傾斜した縁部を含み、これにより真１を垂直位置から取り外すことができ、これは水平位置におけるホゾ２の挙動に影響を与える。従って軸受表面５は、図６に見られるように、宝石３のオリフィス３１の軸ＤＯに対して中心がずらされた凹部５１、又は図１１に見られるように、軸ＤＯ上にセンタリングされたＶ字型外形を有する第１の溝５２、又は図１０に見られるように、軸ＤＯに対して中心がずらされたＶ字型外形を有する第２の溝５３で形成できるが、これらに限定されるものではない。
【００５３】
特定の実施形態では、デバイス１０は、ホゾ２の軸Ｄに対して略直交方向にホゾ２を牽引するか又は押し戻すための手段３０を含む。ホゾ２の軸Ｄに対して略直交方向にホゾ２を牽引するか又は押し戻すための手段３０を実装することにより、水平位置におけるホゾの位置に影響を与える。
【００５４】
図４に見られる第１の変形例では、これらの牽引又は押し戻し手段３０は、静電場又は磁場を生成するエレクトレット又は磁石３０Ａによって形成され、伝導性金属材料製のホゾ２はこれらの場に対する感受性を有し、宝石３のオリフィス３１の少なくとも１つの縁部に対してホゾ２を押圧しようとする力を受ける。受け石４が傾斜している場合、軸受表面５に対する垂線と同一の平面内での場の傾斜により、進度の調節が更に改善される。
【００５５】
図５に見られる第２の変形例では、これらの牽引又は押し戻し手段３０は、特に天真１上に直接作用することによってホゾ２に径方向の力を印加する、少なくとも１つの弾性復元手段又はばね３０Ｂによって形成される。
【００５６】
本発明はまた、このようなデバイス１０を含む時計ムーブメント１００にも関する。
【００５７】
本発明はまた、このような時計ムーブメント１００及び／又はこのようなデバイス１０を含む腕時計２００にも関する。
【００５８】
要するに、軸Ｄに対する受け石４の傾斜はそれ自体が好ましいものである。セッティング７全体の傾斜により、水平位置におけるホゾ２の位置に影響を与えることができる。更にカボション９に対して作用することで、又はカボション９に対する作用とセッティング７に対する作用とを組み合わせることで、ホゾ２に対する影響を修正することによって、異なる複数の位置間で進度を等しくすることができる。
【００５９】
傾斜した受け石４と、凹状のハウジングを有する受け石４とを使用し、受け石４をテンプの上側又は下側で回転させることにより、対応する水平位置における進度に影響を与える。
【００６０】
この原理は、カボション９内に衝撃吸収性ばね８を組み込むことによって形成される衝撃吸収体内での受け石の回転、セッティング７及び受け石４の回転、衝撃吸収体全体の回転、並びにテンプ受けの回転に対して適用できる。
【００６１】
上述の全ての解決策は、従来のセッティングを有する衝撃吸収体、又は懸架状態の若しくは半懸架状態のセッティングを有する衝撃吸収体に対して適用可能である。
【００６２】
上述の特徴から得られる利点により、異なる複数の位置間での腕時計の進度の差を制御できる。
【図１】
0006031199.tif 000002
【図２】
0006031199.tif 000003
【図３】
0006031199.tif 000004
【図４】
0006031199.tif 000005
【図５】
0006031199.tif 000006
【図６】
0006031199.tif 000007
【図７】
0006031199.tif 000008
【図８】
0006031199.tif 000009
【図９】
0006031199.tif 000010
【図１０−１０Ａ】
0006031199.tif 000011
【図１１−１１Ａ】
0006031199.tif 000012
【図１２】
0006031199.tif 000013
【図１３】
0006031199.tif 000014
【図１３Ａ】
0006031199.tif 000015
【図１４】
0006031199.tif 000016
【図１５】
0006031199.tif 000017
【図１５Ａ】
0006031199.tif 000018
【図１５Ｂ】
0006031199.tif 000019
【図１６】
0006031199.tif 000020
【図１６Ａ】
0006031199.tif 000021
【図１７】
0006031199.tif 000022